(57)【要約】【課題】より高い精度で測定が可能な光プローブ及びこの光プローブを含む測定装置を提供する。【解決手段】測定装置１の光プローブ２０では、測定部２５からの光をガラスロッド２２で導波する構成とされている。測定部２５からの光が、直線状に延びるガラスロッド２２を伝送される構成とすることで、例えば曲げ領域における漏洩等の発生を防止することができるため、より高い精度で測定が可能となる。また、測定部２５からの光がガラスロッド２２を伝送される構成とすることで、観察領域の光強度ムラ等が均質化・平均化されるため、測定精度が向上する。【選択図】図２
2016017883.tif 000002
【特許請求の範囲】
【請求項１】
測定対象物が導入される測定部と、
前記測定部中の前記測定対象物から出射される近赤外領域の透過光又は散乱光を入射して導波する、ガラスロッドにより構成された入射部と、
前記入射部における前記測定部側の端部を収容する筺体部と、
を備える光プローブ。
【請求項２】
前記ガラスロッドは石英ガラスロッドである請求項１記載の光プローブ。
【請求項３】
前記ガラスロッドは無水石英ガラスロッドである請求項２記載の光プローブ。
【請求項４】
前記近赤外領域の透過光又は散乱光は、波長１７００ｎｍ以上の帯域の光を含む請求項１〜３のいずれか一項に記載の光プローブ。
【請求項５】
前記測定部の前記測定対象物に対して、近赤外光を導波して出射する照射部を更に備え、
前記照射部の前記測定部側の端部が前記筺体部に収容されている請求項１〜４のいずれか一項に記載の光プローブ。
【請求項６】
前記ガラスロッドは、コアと、当該コアを取り囲み屈折率が当該コアより低いクラッドとを含んで構成される請求項１〜５のいずれか一項に記載の光プローブ。
【請求項７】
測定対象物から出射される透過光又は散乱光を入射させる光プローブと、
前記光プローブに入射させた前記透過光又は前記散乱光を分析する分析器と、
を備える測定装置であって、
前記光プローブは、
前記測定対象物が導入される測定部と、
前記測定部中の前記測定対象物から出射される近赤外領域の透過光又は散乱光を入射して前記分析器へ導波する、ガラスロッドにより構成された入射部と、
前記入射部における前記測定部側の端部を収容する筺体部と、
を備える測定装置。
【請求項８】
前記分析器は、前記透過光又は前記散乱光を受光するための２次元配列された複数の受光センサから構成されたセンサ部を備え、
前記受光センサは、それぞれ、ＩｎＧａＡｓ、ＭＣＴ、ＩｎＳｂ、ＩｎＧａＡｓ／ＧａＡｓＳｂの量子井戸型のいずれかである請求項７記載の測定装置。
【発明の詳細な説明】
【技術分野】
【０００１】
本発明は、光プローブ及びこの光プローブを含む測定装置に関する。
【背景技術】
【０００２】
液体試料に対して近赤外光を照射して、測定対象物における凝集物（懸濁物質）の近赤外光の反射率及び透過率を測定するための光プローブを備えた測定装置が知られている。例えば、特許文献１の光プローブでは、透過率を測定するために集光した光を光検出器に対して伝達するために、光ファイバが用いられている。
【先行技術文献】
【特許文献】
【０００３】
【特許文献１】特開２０００−００９６３８号公報
【発明の概要】
【発明が解決しようとする課題】
【０００４】
測定対象物からの光を光検出器に対して伝達する伝送路として光ファイバを用いた場合、局所曲げ等による光の漏洩が生じることが考えられる。光の漏洩が増大すると、測定精度に影響を与える可能性がある。
【０００５】
本発明は上記を鑑みてなされたものであり、より高い精度で測定が可能な光プローブ及びこの光プローブを含む測定装置の提供を目的とする。
【課題を解決するための手段】
【０００６】
本願発明は、
（１）測定対象物が導入される測定部と、
前記測定部中の前記測定対象物から出射される近赤外領域の透過光又は散乱光を入射して導波する、ガラスロッドにより構成された入射部と、
前記入射部における前記測定部側の端部を収容する筺体部と、
を備える光プローブ、
である。
【０００７】
また、本願発明は、
（２）  測定対象物から出射される透過光又は散乱光を入射させる光プローブと、
前記光プローブに入射させた前記透過光又は前記散乱光を分析する分析器と、
を備える測定装置であって、
前記光プローブは、
前記測定対象物が導入される測定部と、
前記測定部中の前記測定対象物から出射される近赤外領域の透過光又は散乱光を入射して前記分析器へ導波する、ガラスロッドにより構成された入射部と、
前記入射部における前記測定部側の端部を収容する筺体部と、
を備える測定装置、
である。
【発明の効果】
【０００８】
本発明によれば、より高い精度で測定が可能な光プローブ及びこの光プローブを含む測定装置が提供される。
【図面の簡単な説明】
【０００９】
【図１】第１実施形態に係る光学測定装置の概要を説明する図である。
【図２】第１実施形態に係る光学測定装置の概略構成図である。
【図３】第１実施形態に係る光プローブの主要部の概略斜視図である。
【図４】第２実施形態に係る光学測定装置の概略構成図である。
【発明を実施するための形態】
【００１０】
［本願発明の実施形態の説明］
最初に本願発明の実施態様を列記して説明する。
【００１１】
本願発明の光プローブは、（１）測定対象物が導入される測定部と、前記測定部中の前記測定対象物から出射される近赤外領域の透過光又は散乱光を入射して導波する、ガラスロッドにより構成された入射部と、前記入射部における前記測定部側の端部を収容する筺体部と、を備えることを特徴とする。
【００１２】
上記の光プローブによれば、測定対象物から出射される透過光又は散乱光が、ガラスロッド内を導波して分析器に伝送される。ガラスロッドを導波させる構成とすることで、例えば光ファイバを導波させた場合に生じる曲げ領域における漏洩等の発生を防止することができるため、分析器において、より高い精度で測定が可能となる。また、透過光又は散乱光がガラスロッドを伝送される構成とすることで、観察領域の光強度ムラ等が均質化・平均化されるため、ムラ等に由来する特異なピークを誤検出する可能性を低減することができ、高い精度での測定が可能となる。
【００１３】
（２）前記ガラスロッドは石英ガラスロッドである態様とすることができる。
【００１４】
上記のように石英ガラスロッドにより構成されている場合、損失を低減させることができる。
【００１５】
（３）前記ガラスロッドは無水石英ガラスロッドである態様とすることができる。
【００１６】
通常の石英ガラスは大量のＯＨ基が存在しているため、１．４μｍ付近、１．９μｍ付近、及び２．２μｍ付近に吸収帯が存在し、これらの波長帯のスペクトル情報に係る精度が著しく劣化する。これに対して、無水石英ガラスを用いることで、この波長帯域における吸収を十分に低くすることが出来る為、近赤外全域で透明な伝送体として機能させることが可能となる。
【００１７】
（４）前記近赤外領域の透過光又は反射光は、波長１７００ｎｍ以上の帯域の光を含む態様とすることができる。
【００１８】
有機物系の測定対象物の特徴を示す吸収ピークが波長１７００ｎｍ以上に多く存在することから、１７００ｎｍ以上の長波長帯域の近赤外光が好適に用いられる。
【００１９】
（５）前記測定部の前記測定対象物に対して、前記近赤外光を導波して出射する照射部を更に備え、前記照射部の前記測定部側の端部が前記筺体部に収容されている態様とすることができる。
【００２０】
上記のように、光源からの近赤外光を導波して出射する照射部を光プローブが備える場合、光源からの光を測定対象物に対して好適に照射することができると共に、取り扱い性が向上する。
【００２１】
（６）前記ガラスロッドは、コアと、当該コアを取り囲み屈折率が当該コアより低いクラッドとを含んで構成される態様とすることができる。
【００２２】
この場合、周囲のクラッドに覆われたコアを光が導波しやすい構成となり、損失を抑制できることから、測定精度が向上する。
【００２３】
本願発明の測定装置は、（７）前記測定対象物から出射される透過光又は散乱光を入射させる光プローブと、前記光プローブに入射させた前記透過光又は前記散乱光を分析する分析器と、を備える測定装置であって、前記光プローブは、前記測定対象物が導入される測定部と、前記測定部中の前記測定対象物から出射される近赤外領域の透過光又は散乱光を入射して分析器へ導波する、ガラスロッドにより構成された入射部と、前記入射部における前記測定部側の端部を収容する筺体部と、を備えることを特徴とする。
【００２４】
上記の測定装置によれば、光源からの近赤外光の照射によって測定対象物から出射される透過光又は散乱光が、ガラスロッド内を導波して分析器に伝送される。ガラスロッドを導波させる構成とすることで、例えば光ファイバを導波させた場合に生じる曲げ領域における漏洩等の発生を防止することができるため、分析器において、より高い精度で測定が可能となる。また、透過光又は散乱光がガラスロッドを伝送される構成とすることで、観察領域の光強度ムラ等が均質化・平均化されるため、ムラ等に由来する特異なピークを誤検出する可能性を低減することができ、高い精度での測定が可能となる。
【００２５】
（８）前記分析器は、前記透過光又は前記散乱光を受光するための２次元配列された複数の受光センサから構成されたセンサ部を備え、前記受光センサは、それぞれ、ＩｎＧａＡｓ、ＭＣＴ、ＩｎＳｂ、ＩｎＧａＡｓ／ＧａＡｓＳｂの量子井戸型のいずれかである態様とすることができる。
【００２６】
２次元配列された複数の受光センサから構成されたセンサ部を備える場合、複数の受光センサのそれぞれで取得された光の情報に基づいて分析を行うことができるため、より高い精度で測定を行うことができる。また、近赤外光に対して十分な感度を有する上記のセンサは、受光センサとして好適に用いられる。
【００２７】
［本願発明の実施形態の詳細］
本発明に係る光プローブ及び測定装置の具体例を、以下に図面を参照しつつ説明する。なお、本発明はこれらの例示に限定されるものではなく、特許請求の範囲によって示され、特許請求の範囲と均等の意味及び範囲内での全ての変更が含まれることが意図される。
【００２８】
（第１実施形態）
図１は、第１実施形態に係る測定装置の概略構成と主な使用方法を説明する図である。図１に示すように、測定装置１は、光源１０と、光プローブ２０と、分析器３０と、を含んで構成される。測定装置１は、測定対象物Ｏが液体である場合に好適に用いられる。
【００２９】
光源１０は、液体の測定対象物に対して照射する近赤外光を出射する。本実施形態に係る測定装置１で用いられる近赤外光とは、７００ｎｍ〜２５００ｎｍの波長帯域の光を指す。このうち、長波長帯域において、測定対象物Ｏの特徴を示す吸収ピークが多く含まれる。加えて、長波長域は、赤外の基本振動による吸収に近く、近赤外にありながら相対的に強い吸収特性を有しており、感度が高い利点を有している。よって、１７００ｎｍ以上の長波長帯域の近赤外光が好適に用いられる。光源１０は近赤外光を出射可能であれば特に限定されず、例えば、パルス光を出射するような構成であってもよい。
【００３０】
光プローブ２０は、コネクタ等により光源１０に対して接続され、光源１０からの近赤外光を導波して測定対象物の液体に対して近赤外光を出射すると共に、近赤外光を照射した測定対象物からの透過光又は散乱光を入射して分析器３０に導波する機能を有する。光プローブ２０は、図１に示すように、測定対象物Ｏ内にその先端を導入することで、測定が行われる。光プローブ２０内では、光ファイバによって光が導波されるが、その具体的な構成については後述する。
【００３１】
分析器３０は、光プローブ２０からの光を受光して測定を行う機能を有する。分析器３０は、光プローブ２０内の導波路を導波した透過光又は散乱光を波長に応じて分光する分光部と、２次元配列された複数の受光センサから構成され、分光部により分光された光を受光するセンサ部と、を含んで構成される。
【００３２】
次に、測定装置１のうち、特に光プローブ２０及び分析器３０について、図２を参照しながら説明する。図２は、測定装置１の各部の構成を示す概略構成図である。
【００３３】
図２に示すように、光プローブ２０は、光源１０に対してその一方の端部２１ａが接続する光ファイバ２１（照射部）と、分析器３０に対してその一方の端部２２ａがレンズを介して接続するガラスロッド２２（入射部）と、光ファイバ２１の光源１０側とは逆側の端部２１ｂ及びガラスロッド２２が収容されている筺体部２３を含んで構成される。光ファイバ２１のうち筺体部２３に収容されている部分と、ガラスロッド２２とは、略同一の方向に延びる。筺体部２３は、光ファイバ２１及びガラスロッド２２の光軸方向に沿って延びる略円筒形状をなしている。
【００３４】
光ファイバ２１は、石英ガラス光ファイバを含んだ構成とすることができる。この場合、光源１０から出射される近赤外光を導波させることによる損失を低減することができる。また、ガラスロッド２２は、石英ガラスにより構成される。ガラスロッド２２は、直径が３ｍｍ〜２０ｍｍ程度とされ、光軸方向の長さが１０ｃｍ〜１ｍ程度とされる。また、ガラスロッドは無水タイプ（ＯＨフリータイプ）の石英ガラスにより構成されることが望ましい。通常の石英ガラスロッドでは、ガラス中に大量のＯＨ基が存在しているため、１．４μｍ付近、１．９μｍ付近、及び２．２μｍ付近付近に吸収帯が存在する。このため、これらの波長帯のスペクトル情報に係る精度が著しく劣化する。一方、ＯＨフリータイプの石英ガラスを用いた場合には、この波長帯域における吸収を十分に低くすることが出来る為、近赤外全域で透明な伝送体として機能させることが可能となる。
【００３５】
また、ガラスロッド２２は、中心付近に設けられた屈折率が高いコアと、コアの外側にあってコア部より屈折率の低いクラッドと、を有する構造となっていることが好ましい。この場合、周囲のクラッドに覆われたコア部を光が導波しやすい構成となり、損失を抑制できる。さらに、ガラスロッド２２は、外側を例えば樹脂などで充填する態様とすることで、内部を伝送する光がガラスロッドの外部に漏洩するなどの問題発生を回避可能な構成とすることもできる。なお、本実施形態におけるガラスロッド２２とは、直線状に延びる可撓性を有しない棒状のものをいう。このようなガラスロッド２２は、許容曲げ半径が１０００ｍｍ以上となる。また、本実施形態におけるガラスロッド２２は直径３００ｍｍで１ターン巻回した場合に破断率が８０％以上である。
【００３６】
また、光ファイバ２１の端部２１ｂは、測定部２５と対向している。また、ガラスロッド２２の端部２２ｂは、レンズ２６を介して測定部２５と対向している。ガラスロッド２２の逆側の端部２２ａ側にも、レンズ２７が設けられている。なお、レンズ２６は、ガラスロッド２２へ好適に光を入射させるために設けられるものであり必須ではない。また、レンズ２７についても、ガラスロッド２２から出射された光を好適に分析器３０へ導入するためのものであり必須ではない。
【００３７】
筺体部２３は、光ファイバ２１の一部、ガラスロッド２２及びレンズ２６，２７を収容する容器である。筺体部２３の外装は、鉄、銅、アルミニウムなどの金属材であることが望ましい。外装が金属材である場合、アースを取りやすく、帯電を防止することができる。また、測定対象物Ｏが腐食液体等である場合には、筺体部２３の外装を構成する部材は耐食性に優れたステンレス等が好適に用いられる。また、計測対象が高温である場合には、チタンなど熱に強い材料が適用可能である。このように、筺体部２３の材料は適宜変更することができる。
【００３８】
筺体部２３の端部には、測定部２５が設けられる。測定部２５は、測定対象物Ｏが導入される領域である。測定部２５は、例えば、フィルタ等によって外部と区画されていてもよい。また、測定部２５は、外部との間で測定対象物Ｏが移動可能であることが好ましい。光プローブ２０を測定対象物Ｏ中に投入した際に、測定対象物Ｏが測定部２５内に容易に導入される構成とすることで、容易に測定を行うことができる。測定部２５には、光ファイバ２１の端部２１ｂが露出して、光源１０からの光を出射可能な構成とされている。また、測定部２５内の測定対象物Ｏからの光をガラスロッド２２に対して導入できるように、レンズ２６が測定部２５内に露出した構成とすることができる。
【００３９】
分析器３０は、ガラスロッド２２の端部２２ａから出射し、レンズ２７でコリメートされた光を波長毎に分光する波長可変フィルタ３１と、波長可変フィルタ３１で分光された光を受光する複数の受光センサが２次元に配列されたセンサ部３２とを含んで構成される。
その他、調整用のレンズ等が設けられていてもよい。
【００４０】
波長可変フィルタ３１は、所定の波長分解能で電気的に透過波長を可変制御できる。選択波長を高速に変化させることにより、観察領域の波長スペクトル情報が生成される。
【００４１】
センサ部３２は、波長可変フィルタ３１により選択的に透過された波長の光を検出する機能を有するセンサが２次元状に複数配列されたものである。２次元センサとしてはＩｎＧａＡｓ、ＭＣＴ、ＩｎＳｂなどが適用可能である。また、ＩｎＧａＡｓ／ＧａＡｓＳｂの量子井戸構造によるｔｙｐｅ−ＩＩ型の２次元センサは、１〜２．３μｍに感度を有し、近赤外光の波長帯域のほぼ全域をカバーできる性能を有しながら安価であることから、本実施形態に係る分析器３０のセンサ部３２に適用するには好適である。
【００４２】
本実施形態に係る分析器３０では、波長可変フィルタ３１を通過した光は２次元に配列された受光センサのいずれかに到達する。すなわち、同じ波長の光が２次元に配列された複数の受光センサのそれぞれで同時に検出される。
【００４３】
このような測定装置１では、光源１０からの近赤外光は、光プローブ２０の光ファイバ２１内に端部２１ａから導入され、光ファイバ２１内を伝搬した後、端部２１ｂから測定部２５内に出射される。測定部２５内には測定対象物Ｏが導入されているため、光源１０からの近赤外光は、測定部２５内の測定対象物Ｏに対して照射される。
【００４４】
近赤外光の照射によって、測定部２５内の測定対象物Ｏから出射される散乱光は、レンズ２６を介して、ガラスロッド２２の端部２２ｂに入射する。散乱光は、ガラスロッド２２内を伝搬して、ガラスロッド２２の端部から分析器３０に入射する。その後、波長可変フィルタ３１を通過した光が、センサ部３２を構成する互いに異なる受光センサによって受光される。波長可変フィルタ３１は高速で選択波長を変更していくことで、センサ部３２を構成する各画素において、時間軸に沿って波長が変化するスペクトルを取得することができる。
【００４５】
ここで、本実施形態に係る光プローブ２０では、測定部２５からの光をガラスロッド２２で導波する構成とされている。測定部２５からの光が、直線状に延びるガラスロッド２２を伝送される構成とすることで、例えば曲げ領域における漏洩等の発生を防止することができるため、より高い精度で測定が可能となる。
【００４６】
また、測定部２５からの光がガラスロッド２２を伝送される構成とすることで、観察領域の光強度ムラ等が均質化・平均化される。これは、光ファイバ中を導波する場合と比較して、より幅広に且つ直線状に構成された導波路を進むためである。
【００４７】
さらに、センサ部３２においては、２次元に配列されたセンサのそれぞれで、ガラスロッド２２を導波した光を検出する構成とした場合、各画素で検出したスペクトル情報を画素の数に応じて平均化することができるため、スペクトル情報を平均化するための時間平均を行わないかもしくはより短時間分のデータの平均化により十分平均的なデータを取得することができる。したがって、同じレベルの精度の測定をより短時間で実現することができる。
【００４８】
なお、ガラスロッド２２を用いる光プローブ２０に対して、単画素のセンサ部３２を備える分析器３０を組み合わせることも可能である。この場合でも、ガラスロッド２２中で光強度のムラが平均化されることから、強度ムラに由来する特異なピーク等を減らすことができ、より高い精度での計測が可能になる。
【００４９】
図３に、光プローブ２０の測定部２５の変形例を示す。図２に示す光プローブ２０では、測定部２５内の測定対象物Ｏから出射される散乱光をガラスロッド２２に入射させる構成としていた。一方、図３では、測定部２５内の測定対象物Ｏからの透過光をガラスロッド２２に入射させる構成としたものである。
【００５０】
具体的には、測定部２５が、筺体部２３から延びる反射路部２５ａと、反射路部２５ａの一部を切り欠いたような溝２５ｂとにより設けられていて、溝２５ｂに対して測定対象物Ｏが導入可能な構成とされる。そして、光ファイバ２１が設けられた側の溝２５ｂの端面と、対向する端面側に反射用のミラー２９を２つ配置することで、光源１０からの光のうち、溝２５ｂ内の測定対象物Ｏを透過した透過光Ｌが反射路部２５ａへ入射する。そして、透過光Ｌの進路を変更させて、反射路部２５ａ内に透過光Ｌを導波させた後に、レンズ２６に入射させる構成としている。また、溝２５ｂ内での散乱光が、直接レンズ２６へ入射することもできるため、ガラスロッド２２では、透過光及び散乱光の双方を検出することができる。
【００５１】
上記のように、反射路部２５ａは、導波光学系として機能するから、環境変化や振動等の外部要因などに起因する光軸ずれに対して強い特徴を有していることが好ましく、外装（測定対象物Ｏと接触する部分）は、例えばステンレスやアルミであることが好ましいが、内部については、前記特徴を有する石英ガラス、樹脂等により構成されることが好ましい。
【００５２】
このように、本実施形態に係る測定装置１では、光プローブ２０の形状を変更して、ガラスロッド２２に入射する光の進路を変更することによって、透過光及び散乱光を検出することができる。当然ながら、透過光と散乱光との一方のみを検出する構成であってもよい。なお、光ファイバ２１の代わりに、ガラスロッドを使用してもよい。ガラスロッドとすることにより、導波される光の揺らぎを抑えることが可能になる。
【００５３】
（第２実施形態）
次に、第２実施形態に係る測定装置２について説明する。第２実施形態に係る測定装置２では、図４に示すように、測定装置２は、光源１０と、光プローブ２０Ａと、分析器３０Ａと、を含んで構成される。
【００５４】
光プローブ２０Ａは、レンズ２７と分析器３０との間に、接続用の光ファイバ３５が設けられる点が、第１実施形態に係る光プローブ２０と相違する。
【００５５】
また、分析器３０Ａは、センサ部３２の前段に波長可変フィルタ３１に代えてレンズ３３及び分光部３４が設けられている点が、第１実施形態に係る分析器３０と相違する。
【００５６】
第２実施形態に係る測定装置２のように、光プローブ２０Ａが、ガラスロッド２２と分析器３０Ａとの間に光ファイバ３５を備えている場合、分析器３０Ａに対して光プローブ２０Ａの位置を容易に変更することができるため、取り扱い性が向上する。一方、光ファイバ３５により透過光又は散乱光を導波する領域が生じるため、多少の損失は生じる可能性が考えられる。しかしながら、透過光又は散乱光の導波路の少なくとも一部にガラスロッド２２が設けられていることで、当該領域も光ファイバにより構成される場合と比較して、曲げ領域における漏洩等の発生を防止することができるため、より高い精度で測定が可能となる。なお、光プローブ２０Ａのガラスロッド２２と分析器３０との間を、光ファイバ３５に代えてイメージファイバを接続する構成とすることもできる。
【００５７】
以上、本発明の実施形態に係る光プローブ及び測定装置について説明したが、本発明に係る光プローブ及び測定装置は上記実施形態に限定されず、種々の変更を行うことができる。
【００５８】
すなわち、本発明の実施形態に係る光プローブ及び測定装置では、測定対象物Ｏからの透過光又は散乱光の光プローブ内の導波路をガラスロッド２２により形成することを特徴とするものであり、この特徴を変更しない範囲で、その形状は適宜変更することができる。
【００５９】
例えば、第１実施形態において、分析器３０のセンサ部３２をラインセンサとして、波長可変フィルタ３１に代えて分光器を配置する構成としてもよい。この場合には、分光器により分光された光のそれぞれを１次元に配列された複数のセンサのそれぞれで検出する構成となる。この場合、同時に複数の波長の強度を測定可能であり、一度にスペクトルデータを得ることができる。また、第２実施形態において分光部３４に替えて波長可変フィルタを用いる構成としてもよい。このときも、ガラスロッド２２を導波させる構成とすることで、ガラスロッド２２による均質化効果が測定精度向上に貢献する。
【００６０】
また、上記実施形態では、光プローブ２０が、光源１０からの近赤外光を導波する光ファイバ２１を備える構成について説明したが、測定対象物Ｏに対する近赤外光の照射は、光プローブ２０とは異なる装置によって行う構成であってもよい。すなわち、本実施形態に係る光プローブは、少なくとも透過光又は散乱光の光プローブ内の導波路としてガラスロッド２２を備えていればよく、光源１０からの光を測定対象物Ｏに対して照射する光ファイバ２１を備えていなくてもよい。ただし、光源からの近赤外光を導波して出射する照射部として光ファイバ２１を光プローブ２０が備える構成のほうが、光源１０からの光を測定対象物Ｏに対して好適に照射することができるため、測定精度が向上すると考えられる。また、光プローブ２０としての取り扱い性も向上する。
【符号の説明】
【００６１】
１，２…測定装置、１０…光源、２０，２０Ａ…光プローブ、３０，３０Ａ…分析器、２１…光ファイバ、２２…ガラスロッド、２３…筺体部、２５…測定部、２６，２７…レンズ、３２…センサ部。
【図１】
2016017883.tif 000003
【図２】
2016017883.tif 000004
【図３】
2016017883.tif 000005
【図４】
2016017883.tif 000006